(57)【要約】【課題】駆動モータの定格や台数を増大させることなく高負荷の発電機又は複数の発電機を駆動することができる発電装置を提供すること。【解決手段】本発明では、発電機を駆動モータで駆動することによって発電する発電装置において、駆動モータと発電機とを垂直方向に向けて伸延させた回転軸を介して連動連結するとともに、前記回転軸から所定の半径だけ離れた位置に所定の重量を有して水平面上での回転によって遠心力を発生する環状体を取付けることにした。また、前記回転軸を中心として円周方向に等間隔に配置した複数の駆動モータを前記回転軸に連動連結することにした。また、前記回転軸を中心として円周方向に等間隔に配置した複数の減速機を介して複数の発電機を前記回転軸に連動連結することにした。さらに、前記回転軸に環状体を複数の放射状に伸延させたリブを介して取付けるとともに、複数のリブをカバー体で被覆することにした。【選択図】図１
2008072784.tif 000002
【特許請求の範囲】
【請求項１】
発電機を駆動モータで駆動することによって発電する発電装置において、
駆動モータと発電機とを垂直方向に向けて伸延させた回転軸を介して連動連結するとともに、前記回転軸から所定の半径だけ離れた位置に所定の重量を有して水平面上での回転によって遠心力を発生する環状体を取付けたことを特徴とする発電装置。
【請求項２】
前記回転軸を中心として円周方向に等間隔に配置した複数の駆動モータを前記回転軸に連動連結したことを特徴とする請求項１に記載の発電装置。
【請求項３】
前記回転軸を中心として円周方向に等間隔に配置した複数の減速機を介して複数の発電機を前記回転軸に連動連結したことを特徴とする請求項１又は請求項２に記載の発電装置。
【請求項４】
前記回転軸に環状体を複数の放射状に伸延させたリブを介して取付けるとともに、複数のリブをカバー体で被覆したことを特徴とする請求項１〜請求項３のいずれかに記載の発電装置。
【発明の詳細な説明】
【技術分野】
【０００１】
本発明は、発電機を駆動モータで駆動することによって発電する発電装置に関するものである。
【背景技術】
【０００２】
従来の発電装置では、駆動モータに１台又は複数台の発電機を直結し、駆動モータで発電機を駆動することによって発電するように構成していた（たとえば、特許文献１参照。）。
【０００３】
【特許文献１】特開２００１−１６９５３２号公報
【発明の開示】
【発明が解決しようとする課題】
【０００４】
ところが、従来の発電装置では、駆動モータと発電機とを直結していたために、発電機によって発電するだけの負荷が全て駆動モータにかかることになり、発電量を増大させるためには、駆動モータを大型化するか駆動モータの台数を増大する必要があった。
【０００５】
そのため、発電量を多くした発電装置では、駆動モータの大型化や台数の増大によって製造コストが増大してしまうおそれがあった。
【課題を解決するための手段】
【０００６】
そこで、請求項１に係る本発明では、発電機を駆動モータで駆動することによって発電する発電装置において、駆動モータと発電機とを垂直方向に向けて伸延させた回転軸を介して連動連結するとともに、前記回転軸から所定の半径だけ離れた位置に所定の重量を有して水平面上での回転によって遠心力を発生する環状体を取付けることにした。
【０００７】
また、請求項２に係る本発明では、前記請求項１に係る本発明において、前記回転軸を中心として円周方向に等間隔に配置した複数の駆動モータを前記回転軸に連動連結することにした。
【０００８】
また、請求項３に係る本発明では、前記請求項１又は請求項２に係る本発明において、前記回転軸を中心として円周方向に等間隔に配置した複数の減速機を介して複数の発電機を前記回転軸に連動連結することにした。
【０００９】
また、請求項４に係る本発明では、前記請求項１〜請求項３のいずれかに記載の本発明において、前記回転軸に環状体を複数の放射状に伸延させたリブを介して取付けるとともに、複数のリブをカバー体で被覆することにした。
【発明の効果】
【００１０】
そして、本発明では、以下に記載する効果を奏する。
【００１１】
すなわち、請求項１に係る本発明では、発電機を駆動モータで駆動することによって発電する発電装置において、駆動モータと発電機とを垂直方向に向けて伸延させた回転軸を介して連動連結するとともに、回転軸から所定の半径だけ離れた位置に所定の重量を有して水平面上での回転によって遠心力を発生する環状体を取付けているために、環状体の回転速度の増大に伴って環状体によって回転軸に作用する遠心力が増大し、これによって回転軸の回転が助長され、駆動モータの定格や台数を増大させることなく高負荷の発電機又は複数の発電機を駆動することができ、発電量の増大に伴う発電装置の製造コストの増大を抑制することができる。
【００１２】
また、請求項２に係る本発明では、回転軸を中心として円周方向に等間隔に配置した複数の駆動モータを回転軸に連動連結しているために、複数の駆動モータから回転軸にバランスよく回転力が作用することになり、回転軸の回転時にブレが発生して損失が発生するのを防止することができる。
【００１３】
また、請求項３に係る本発明では、回転軸を中心として円周方向に等間隔に配置した複数の減速機を介して複数の発電機を回転軸に連動連結しているために、回転軸から複数の減速機にバランスよく回転力を伝達することになり、回転軸の回転時にブレが発生して損失が発生するのを防止することができる。
【００１４】
また、請求項４に係る本発明では、回転軸に環状体を複数の放射状に伸延させたリブを介して取付けるとともに、複数のリブをカバー体で被覆しているために、リブにより回転軸と環状体とを強固に連結することができ、しかも、リブをカバー体で被覆することによって回転時にリブが受ける抵抗を低減することができ、環状体の回転時に抵抗による損失が発生するのを防止することができる。
【発明を実施するための最良の形態】
【００１５】
以下に、本発明に係る発電装置の具体的な構成について図面を参照しながら説明する。
【００１６】
図１〜図４に示すように、発電装置１は、矩形箱型状の基台２の中央部に垂直方向に向けて伸延させた回転軸３を配置するとともに、回転軸３の前方及び後方に駆動モータ4,5を配置し、回転軸３の左右側方に減速機6,7を配置し、各減速機6,7の前方に発電機8,9を配置している。
【００１７】
基台２は、矩形箱枠状の基枠10の底部に前後一対の補助フレーム11,12と補強フレーム13,14とを取付け、補助フレーム11,12の中央部間に矩形板状のベース板15を取付け、ベース板15の上部に回転軸３の下端部を支持するための軸受16を取付けている。
【００１８】
また、基台２は、基枠10の中途部に前後左右一対の枠フレーム17,18,19,20を取付けるとともに、基枠10の中途部に前後一対の補助フレーム21,22と補強フレーム23,24とを取付け、補助フレーム21,22の中央部間に矩形枠板状のベース板25を取付け、ベース板25の上部に回転軸３の中途部を支持するための軸受26を取付けている。
【００１９】
また、基台２は、基枠10の中途部に取付けた補強フレーム23,24の上部にブラケット27,28を取付け、各ブラケット27,28に駆動モータ4,5を駆動軸29,30を垂直方向に伸延させた状態で取付けている。
【００２０】
さらに、基台２は、基枠10の中途部に取付けた補助フレーム21,22と前側の枠フレーム17との左右上部間に台板31,32をそれぞれ取付け、各台板31,32の後側部に減速機6,7を入力軸33,34を垂直方向に伸延させた状態で取付けるとともに、各台板31,32の前側部に発電機8,9を取付けている。
【００２１】
回転軸３は、基台２の底部に取付けた軸受16と中途部に取付けた軸受26とで回転自在に支持されており、上端部に上下一対の出力プーリ35,36と入力プーリ37,38を取付けている。
【００２２】
そして、発電装置１は、駆動モータ4,5の駆動軸29,30に駆動プーリ39,40を取付け、各駆動プーリ39,40と回転軸３の入力プーリ37,38との間に伝動ベルト41,42をそれぞれ巻回している。
【００２３】
これにより、発電装置１は、駆動モータ4,5と回転軸３とを連動連結しており、駆動モータ4,5を駆動することによって回転軸３を水平回転させるようにしている。
【００２４】
また、発電装置１は、減速機6,7の入力軸33,34に入力プーリ43,44を取付け、各入力プーリ43,44と回転軸３の出力プーリ35,36との間に伝動ベルト45,46をそれぞれ巻回するとともに、減速機6,7の出力軸47,48に出力プーリ49,50を取付ける一方、発電機8,9の駆動軸51,52に駆動プーリ53,54を取付け、これら出力プーリ49,50と駆動プーリ53,54との間に伝動ベルト55,56をそれぞれ巻回している。
【００２５】
これにより、発電装置１は、回転軸３と発電機8,9とを減速機6,7を介して連動連結しており、駆動モータ4,5によって回転軸３が回転駆動されることによって発電機8,9が駆動し、各発電機8,9から電力を出力できるようにしている。
【００２６】
さらに、発電装置１では、回転軸３の中途部に円盤状の遠心力発生機構57を取付けている。
【００２７】
この遠心力発生機構57は、図５及び図６に示すように、回転軸３の中途部に円筒状の連結体58を連結キー59を介して取付け、連結体58の外周部に円板60を水平に取付け、円板60の外周部に環状体61を取付けている。
【００２８】
また、遠心力発生機構57は、連結体58と環状体61との間に等間隔で放射状に介設した８本のリブ62を円板60の上下面に取付けるとともに、連結体58と環状体61の上下端部間にカバー体63を取付けて、このカバー体63でリブ62を被覆している。
【００２９】
この遠心力発生機構57は、回転軸３から所定の半径Ｒだけ離れた位置に所定の重量Ｍを有する環状体61を回転軸３に取付けた構造となっており、回転軸３の回転に伴って環状体61が水平面上で回転速度Ｖで回転し、これにより、Ｍ・Ｖ2／Ｒの遠心力が発生する。
【００３０】
そのため、駆動モータ4,5で回転軸３を回転駆動すると、回転軸３の回転に伴って環状体61の作用で遠心力が発生し、遠心力が回転軸３に作用することで回転軸３の回転が助長される。
【００３１】
これにより、駆動モータ4,5と発電機8,9とを直結した場合よりも、高負荷の発電機8,9又はより多くの発電機8,9を同じ駆動モータ4,5で駆動することができるようになる。
【００３２】
このように、上記発電装置１では、駆動モータ4,5と発電機8,9とを垂直方向に向けて伸延させた回転軸３を介して連動連結するとともに、回転軸３から所定の半径Ｒだけ離れた位置に所定の重量Ｍを有して水平面上での回転によって遠心力（Ｍ・Ｖ2／Ｒ）を発生する環状体61を取付けている。
【００３３】
そのため、上記発電装置１では、環状体61の回転速度Ｖの増大に伴って環状体61によって回転軸３に作用する遠心力が増大し、これによって回転軸３の回転が助長され、駆動モータ4,5の定格や台数を増大させることなく高負荷の発電機8,9又は複数の発電機8,9を駆動することができ、発電量の増大に伴う発電装置１の製造コストの増大を抑制している。
【００３４】
また、上記発電装置１では、回転軸３を中心として円周方向に等間隔（180度間隔）に配置した２台の駆動モータ4,5を回転軸３に連動連結している。
【００３５】
このように、上記発電装置１では、回転軸３を中心として駆動モータ4,5を対称に配置することで、駆動モータ4,5から回転軸３にバランスよく回転力が作用することになり、回転軸３の回転時にブレが発生して損失が発生するのを防止している。
【００３６】
また、上記発電装置１では、回転軸３を中心として円周方向に等間隔（180度間隔）に配置した２台の減速機6,7を介して２台の発電機8,9を回転軸３に連動連結している。
【００３７】
このように、上記発電装置１では、回転軸３を中心として減速機6,7を対称に配置することで、回転軸３から減速機6,7にバランスよく回転力を伝達することになり、回転軸３の回転時にブレが発生して損失が発生するのを防止している。
【００３８】
さらに、上記発電装置１では、回転軸３に環状体61を８本の放射状に伸延させたリブ62を介して取付けるとともに、８本のリブ62をカバー体63で被覆している。
【００３９】
そのため、上記発電装置１では、リブ62により回転軸３と環状体61とを強固に連結することができ、しかも、リブ62をカバー体63で被覆することによって回転時にリブ62が受ける抵抗を低減することができ、環状体61の回転時に抵抗による損失が発生するのを防止している。
【図面の簡単な説明】
【００４０】
【図１】本発明に係る発電装置を示す平面図。
【図２】同正面図。
【図３】同左側面図。
【図４】同右側面図。
【図５】遠心力発生機構を示す平面図。
【図６】同断面図。
【符号の説明】
【００４１】
１  発電装置                            ２  基台
３  回転軸                              4,5  駆動モータ
6,7  減速機                             8,9  発電機
10  基枠                                11,12  補助フレーム
13,14  補強フレーム                     15  ベース板
16  軸受                                17,18,19,20  枠フレーム
21,22  補助フレーム                     23,24  補強フレーム
25  ベース板                            26  軸受
27,28  ブラケット                       29,30  駆動軸
31,32  台板                             33,34  入力軸
35,36  出力プーリ                       37,38  入力プーリ
39,40  駆動プーリ                       41,42  伝動ベルト
43,44  入力プーリ                       45,46  伝動ベルト
47,48  出力軸                           49,50  出力プーリ
51,52  駆動軸                           53,54  駆動プーリ
55,56  伝動ベルト                       57  遠心力発生機構
58  連結体                              59  連結キー
60  円板                                61  環状体
62  リブ                                63  カバー体
【図１】
2008072784.tif 000003
【図２】
2008072784.tif 000004
【図３】
2008072784.tif 000005
【図４】
2008072784.tif 000006
【図５】
2008072784.tif 000007
【図６】
2008072784.tif 000008